(57)【特許請求の範囲】
【請求項１】
雄ネジのネジ山を修正するネジ山修正用工具であって、
内周面にネジ山を有する円弧状のダイス片を周方向に複数個配置して形成された環状のダイスと、
隣接する前記ダイス片間に隙間を形成した状態で前記ダイスを一端部に収容可能な筒状のホルダーと、
前記各ダイス片の外周面を前記ダイス片の前記内周面側へ向かって押圧して、隣接する前記ダイス片間の隙間を無くし、前記ダイスを環状に固定する固定手段と、を備え、
前記固定手段は、前記ホルダーの外周面に内周面が当接して、前記ホルダーの軸方向に摺動可能な中空筒状のスリーブを有しており、
前記スリーブを前記ホルダーに沿って摺動させて所定の位置に配置することで、前記各ダイス片の外周面に押圧力を付与するように構成し、
さらに、前記各ダイス片を径方向外側に移動させて、隣接するダイス片間に隙間を形成させるとともに、前記ダイスを拡径する拡径手段を備えており、
前記拡径手段は、前記ダイス片と同一の円弧状の第１側面を有するとともに、外周面の中心軸方向長さが内周面の中心軸方向長さよりも長くなるように内周面側から外周面側へ向かって傾斜している第２側面を有し、且つ前記第１側面が前記ダイス片の側面に密着しているダイス支持体と、前記ダイス支持体の前記第２側面に前記第１側面側へ向かって付勢力を付与するダイス用バネと、を有することを特徴とするネジ山修正用工具。
【請求項２】
雄ネジのネジ山を修正するネジ山修正用工具であって、
内周面にネジ山を有する円弧状のダイス片を周方向に複数個配置して形成された環状のダイスと、
隣接する前記ダイス片間に隙間を形成した状態で前記ダイスを一端部に収容可能な筒状のホルダーと、
前記各ダイス片の外周面を前記ダイス片の前記内周面側へ向かって押圧して、隣接する前記ダイス片間の隙間を無くし、前記ダイスを環状に固定する固定手段と、を備え、
前記固定手段は、前記ホルダーの外周面に内周面が当接して、前記ホルダーの軸方向に摺動可能な中空筒状のスリーブを有しており、
前記スリーブを前記ホルダーに沿って摺動させて所定の位置に配置することで、前記各ダイス片の外周面に押圧力を付与するように構成し、
前記ホルダーは、円弧状の分割体を周方向に複数個配置して形成され、
前記各ダイス片を径方向外側に移動させて、隣接するダイス片間に隙間を形成させるとともに、前記ダイスを拡径する拡径手段を備えており、
前記拡径手段は、前記ホルダー内に、前記ホルダーの中心軸と直交する直交方向に配置され、且つ、両端がそれぞれ互いに対向する位置の前記分割体に接続されたバネを有し、
前記ホルダーの外周は、前記ダイスを保持している前記ホルダーの一端側から他端側へ向かって外周径を徐々に減じたテーパー状に形成され、
前記スリーブの内周は、一端側から他端側へ向かって内周径を徐々に減じたテーパー状に形成されるとともに、前記スリーブの一端が前記ホルダーの一端側を向くように配置されており、
前記スリーブを前記ホルダーの前記一端側に摺動させることにより、前記ホルダーを内方へ向かって押圧可能であることを特徴とするネジ山修正用工具。
【発明の詳細な説明】
【技術分野】
【０００１】
本発明は、雄ネジの損傷したネジ山を修正するネジ山修正用工具に関する。
【背景技術】
【０００２】
一般に、ボルトのネジ山が潰れてボルトを使用できない場合には、ダイスを用いてネジ山の修正を行っている。具体的には、ダイスをボルトの先端に螺合し、ダイスを回転させながら損傷しているネジ山まで移動させて損傷しているネジ山を通過させることで、ネジ山を修正している。ネジ山を修正するネジ山修正用工具として、例えば特許文献１には、スリットによって周方向に複数に分割されたダイスを一端部に収容して、この一端部側から他端部側へ向かうにしたがって外径が徐々に短くなる円筒状のホルダーと、当該ホルダーの外周に沿って摺動可能なスリーブと、ホルダーの他端部に連結されて当該ホルダーを回転させるためのシャフトと、を備えたものが開示されている。このネジ山修正用工具を用いてネジ山を修正する際は、まず、ダイス内に雄ネジの先端を挿入し、次に、スリーブをダイス側に移動させてダイスの内径を縮小させて、ダイスの歯が雄ネジの先端のネジ山に噛み合っているか否かを確認し、その後、シャフトでホルダーを回転させてダイスを損傷しているネジ山へ移動させて損傷しているネジ山を修正する。
【０００３】
しかしながら、この修正方法では、雄ネジの先端のネジ山が損傷している場合には、ダイスをネジ山に噛み合わせることが困難であった。また、正常に形成されているネジ山の位相とダイスにより新たに形成されるネジ山の位相とを一致させることは非常に困難であり、ネジ山を正確に修正できない場合があった。
【０００４】
そこで、例えば特許文献２に示すように、一対の円弧状のダイス片から構成されたダイスと、基端部同士が回動自在に連結されていると共に、中央部分の互いに対向する位置にそれぞれ各ダイス片を保持可能な穴を有する一対のホルダー片と、一対のホルダー片を互いに開く方向へ付勢するコイルスプリングと、一対のホルダー片間を所定の間隔で保持する係止手段と、を備えたネジ山修正用工具が開示されている。
ネジ山修正用工具の係止手段は、一方のホルダー片に設けられてノコギリ状の複数の歯を有する係止板と、他方のホルダー片から外方へ突出するように設けられてノコギリ状の複数の歯を有する操作板と、から構成されており、操作板の歯を係止板の歯に係合させることで、一対のホルダー片間を所定の間隔で保持することができる。
【０００５】
このネジ山修正用工具を用いて雄ネジの先端が損傷したネジ山を修正する際は、まず、ホルダー片の基端部を中心として一対のホルダー片をコイルスプリングの付勢力により互いに離間する方向へ開き、次に、一対のホルダー片間にボルトを挿通させるとともに、正常なネジ山部分を各ホルダー片に保持されたダイス片間に配置する。その後、一対のホルダー片を互いに近接させてダイスを正常なネジ山部分に装着するとともに、操作板の歯の凸部を係止板の歯の凹部に係止させてボルトを保持する。次に、ネジ山修正用工具をボルトの先端側へ向かって回転させながら移動させることで損傷している雄ネジの先端のネジ山を修正する。
【先行技術文献】
【特許文献】
【０００６】
【特許文献１】特開２００１−３８５２６号公報
【特許文献２】特開２００６−３２６７３１号公報
【発明の概要】
【発明が解決しようとする課題】
【０００７】
しかしながら、上記特許文献１に記載のネジ山修正用工具の係止手段では、雄ネジのネジ山とダイスのネジ山とが完全に密着する位置で、操作板の歯の凸部と係止板の歯の凹部とを一致させることができない場合がある。係る場合に、操作板の歯の凸部と係止板の歯の凹部との係止位置をずらして、例えば一対のホルダー間の隙間距離を拡げる方向にずらして係止すると、雄ネジのネジ山とダイスのネジ山との間に隙間が形成されるため、雄ネジとダイスとの間にがたつきが生じて雄ネジを保持する力に偏りが生じてしまう。これにより、ネジ山を正確に加工することが困難であるという問題点があった。
【０００８】
そこで本発明は、上述したような従来技術の状況の下になされた発明であって、雄ネジのネジ山を強固に保持して正確にネジ山を加工可能なネジ山修正用工具を提供することを目的としている。
【課題を解決するための手段】
【０００９】
本発明は、上述したような従来技術における課題を解決するために発明されたものであり、第１の発明のネジ山修正用工具は、雄ネジのネジ山を修正するネジ山修正用工具であって、
内周面にネジ山を有する円弧状のダイス片を周方向に複数個配置して形成された環状のダイスと、
隣接する前記ダイス片間に隙間を形成した状態で前記ダイスを一端部に収容可能な筒状のホルダーと、
前記各ダイス片の外周面を前記ダイス片の前記内周面側へ向かって押圧して、隣接する前記ダイス片間の隙間を無くし、前記ダイスを環状に固定する固定手段と、を備え、
前記固定手段は、前記ホルダーの外周面に内周面が当接して、前記ホルダーの軸方向に摺動可能な中空筒状のスリーブを有しており、
前記スリーブを前記ホルダーに沿って摺動させて所定の位置に配置することで、前記各ダイス片の外周面に押圧力を付与するように構成し、
さらに、前記各ダイス片を径方向外側に移動させて、隣接するダイス片間に隙間を形成させるとともに、前記ダイスを拡径する拡径手段を備えており、前記拡径手段は、前記ダイス片と同一の円弧状の第１側面を有するとともに、外周面の中心軸方向長さが内周面の中心軸方向長さよりも長くなるように内周面側から外周面側へ向かって傾斜している第２側面を有し、且つ前記第１側面が前記ダイス片の側面に密着しているダイス支持体と、前記ダイス支持体の前記第２側面に前記第１側面側へ向かって付勢力を付与するダイス用バネと、を有することを特徴とする。
【００１０】
上記ネジ山修正用工具によれば、隣接するダイス片間に隙間が形成されている状態、即ちダイスが拡径している状態のときに、修正するボルト等の雄ネジをダイスに螺合させることなくダイス内を挿通させることができる。例えば、雄ネジの先端のねじ山が損傷した状態にあっても、雄ネジをダイス内に挿通させた後、複数に分割された状態にあるダイスを雄ネジの側方から一体的に内側へ向かって押圧することにより、正常なネジ山へダイスを装着することができ、正常なネジ山の部分から、ネジ山修正用工具を用いて雄ネジの先端にある損傷箇所の修正を行うことが可能となる。これにより、雄ネジに形成されている正常なネジ山に連続して、損傷しているネジ山に正常なねじ山を形成することが可能となる。上述したように、本発明に係るネジ山修正用工具を用いることで、従来実施されていた先端のネジ山が損傷している雄ネジにダイスを装着して修正する場合に比べて短時間で容易に修正を実施することができる。
また、ダイスを環状に固定する固定手段を備えているため、ダイスを環状に固定することができる。これにより、ダイスで雄ネジを強固に保持することが可能となる。強固に保持した状態で損傷したネジ山を修正することにより、ネジ山を正確に修正することができる。
さらに、固定手段はスリーブを備えているため、スリーブを摺動させて所定の位置に配置することで、雄ネジをダイスで強固に保持することができる。
【００１１】
また、第１の発明は、前記各ダイス片を径方向外側に移動させて、隣接するダイス片間に隙間を形成させるとともに、前記ダイスを拡径する拡径手段を備えており、
前記拡径手段は、前記ダイス片と同一の円弧状の第１側面を有するとともに、外周面の中心軸方向長さが内周面の中心軸方向長さよりも長くなるように内周面側から外周面側へ向かって傾斜している第２側面を有し、且つ前記第１側面が前記ダイス片の側面に密着しているダイス支持体と、前記ダイス支持体の前記第２側面に前記第１側面側へ向かって付勢力を付与するダイス用バネと、を有している。
【００１２】
このように、拡径手段で各ダイス片を径方向外側に移動させることにより、ダイスを容易に拡径することができる。これにより、雄ネジをダイスに螺合させる事無く、ダイス内に雄ネジを挿通させることができる。
また、拡径手段は、ダイス支持体と、ダイス用バネとを有しており、ダイス用バネの付勢力をダイス支持体の第２側面に付与することにより、付勢力の一部が各ダイス片を径方向外側に移動させる力となるため、各ダイス片を径方向外側へ移動させることができる。これにより、ダイスを拡径することができる。そして、拡径手段は、簡素な機構なので、安価に製作することができる。
【００１３】
第２の発明のネジ山修正用工具は、雄ネジのネジ山を修正するネジ山修正用工具であって、
内周面にネジ山を有する円弧状のダイス片を周方向に複数個配置して形成された環状のダイスと、
隣接する前記ダイス片間に隙間を形成した状態で前記ダイスを一端部に収容可能な筒状のホルダーと、
前記各ダイス片の外周面を前記ダイス片の前記内周面側へ向かって押圧して、隣接する前記ダイス片間の隙間を無くし、前記ダイスを環状に固定する固定手段と、を備え、
前記固定手段は、前記ホルダーの外周面に内周面が当接して、前記ホルダーの軸方向に摺動可能な中空筒状のスリーブを有しており、
前記スリーブを前記ホルダーに沿って摺動させて所定の位置に配置することで、前記各ダイス片の外周面に押圧力を付与するように構成し、
前記ホルダーは、円弧状の分割体を周方向に複数個配置して形成され、
前記各ダイス片を径方向外側に移動させて、隣接するダイス片間に隙間を形成させるとともに、前記ダイスを拡径する拡径手段を備えており、
前記拡径手段は、前記ホルダー内に、前記ホルダーの中心軸と直交する直交方向に配置され、且つ、両端がそれぞれ互いに対向する位置の前記分割体に接続されたバネを有し、
前記ホルダーの外周は、前記ダイスを保持している前記ホルダーの一端側から他端側へ向かって外周径を徐々に減じたテーパー状に形成され、
前記スリーブの内周は、一端側から他端側へ向かって内周径を徐々に減じたテーパー状に形成されるとともに、前記スリーブの一端が前記ホルダーの一端側を向くように配置されており、
前記スリーブを前記ホルダーの前記一端側に摺動させることにより、前記ホルダーを内方へ向かって押圧可能であることを特徴とする。
【００１４】
このように、ホルダーは複数の分割体から構成されており、当該ホルダー内にバネを備えているため、バネの付勢力によりホルダーを拡径することができる。そして、ホルダーを拡径することにより、ホルダー内に収容されたダイスを拡径することができる。これにより、雄ネジをダイスに螺合させる事無く、ダイス内に雄ネジを挿通させることができる。
【００１５】
また、第２の発明は、前記ホルダーの外周は、前記ダイスを保持している前記ホルダーの一端側から他端側へ向かって外周径を徐々に減じたテーパー状に形成され、
前記スリーブの内周は、一端側から他端側へ向かって内周径を徐々に減じたテーパー状に形成されるとともに、前記スリーブの一端が前記ホルダーの一端側を向くように配置されており、
前記スリーブを前記ホルダーの前記一端側に摺動させることにより、前記ホルダーを内方へ向かって押圧可能である。
【００１６】
このように、ホルダーの外周及びスリーブの内周はテーパー状に形成されているため、スリーブをホルダーの一端側に摺動させることによりホルダーを縮径することができる。これにより、ダイスを縮径して環状に固定することができる。
【００１７】
【００１８】
【発明の効果】
【００１９】
本発明によれば、雄ネジのネジ山を強固に保持して正確にネジ山を加工可能なネジ山修正用工具を提供することができる。
【図面の簡単な説明】
【００２０】
【図１】本発明の第一実施形態に係るネジ山修正用工具の縦断面図である。
【図２】本発明の第一実施形態に係るネジ山修正用工具の横断面図である。
【図３】ホルダーの正面図及び側断面図である。
【図４】カラー片の正面図及び側断面図である。
【図５】ダイス支持体の正面図及び側断面図である。
【図６】スリーブを移動させた状態を示す縦断面図である。
【図７】スリーブを移動させた状態を示す横断面図である。
【図８】ダイス及びダイス支持体が拡径した状態を示す縦断面図である。
【図９】ダイス及びダイス支持体が拡径した状態を示す横断面図である。
【図１０】拡径したダイス内に修正するボルトを挿入した状態を示す縦断面図である。
【図１１】拡径したダイス内に修正するボルトを挿入した状態を示す横断面図である。
【図１２】ダイスでボルトの正常なネジ山部分を保持した状態を示す縦断面図である。
【図１３】ダイスでボルトの正常なネジ山部分を保持した状態を示す横断面図である。
【図１４】本発明の第二実施形態に係るネジ山修正用工具の斜視図である。
【図１５】本発明の第二実施形態に係るネジ山修正用工具の縦断面図である。
【図１６】スリーブの縦断面図である。
【図１７】ネジ山修正用工具のホルダーを拡径した状態を示す縦断面図である。
【発明を実施するための形態】
【００２１】
以下、本発明の実施形態について、図面に基づいてより詳細に説明する。
ただし、本発明の範囲は以下の実施形態に限定されるものではない。以下の実施形態に記載されている構成部品の寸法、材質、形状、その相対配置などは、特に記載がない限り、本発明の範囲をそれにのみ限定する趣旨ではなく、単なる説明例に過ぎない。
【００２２】
＜第一実施形態＞
図１及び図２は、それぞれ本発明の第一実施形態に係るネジ山修正用工具の縦断面図、横断面図である。まず、図１及び図２を参照して、本発明のネジ山修正用工具の全体構成について説明する。
【００２３】
図１及び図２に示すように、ネジ山修正用工具１は、円弧状のダイス片２ａを周方向に複数個設けて形成された環状のダイス２と、ダイス２を収容可能な収容部４ａを有する略円筒状のホルダー４と、ダイス２を環状に固定する固定手段６と、ダイス２をホルダー４に押圧して収容部４ａ内に保持する押圧手段８と、を備えている。
【００２４】
ダイス２は、複数の円弧状のダイス片２ａから構成されており、本実施形態では、２個のダイス片２ａから構成されるダイス２を用いた。各ダイス片２ａには、内周面にネジ山が形成されている。なお、ダイス片２ａの数は、これに限定されるものではない。ただし、複数のダイス片２ａを周方向に配置して環状となる数とする。
【００２５】
図３は、ホルダー４の正面図及び側断面図である。図３に示すようにホルダー４の一端４ｃは、修正するボルトの雄ネジを挿通可能な穴４ｇを中央に有する蓋４ｆで塞がれている。そして、ホルダー４の他端４ｄは、押圧手段８を挿脱できるように開口されている。ホルダー４内に挿入された押圧手段８は、ホルダー４及び押圧手段８を貫通するピン１０（図１及び図２参照）にてホルダー４に固定される。
ホルダー４の外径は、一端４ｃから他端４ｄへ向かうにしたがって、階段状に徐々に長くなっている。本明細書では、一端側で最も外径の短い部分を第１段部４ｈといい、他端側へ向かって外径が長くなるごとに順番に第２段部４ｉ、第３段部４ｊという。
ホルダー４の第１段部４ｈには、後述するスリーブ１２とカラー片１４を接続するボルト１６を挿通するための長孔４ｅが周方向に所定の間隔で複数形成されている。
【００２６】
また、第１段部４ｈの内径は、ダイス２の直径よりも長くて、第１段部４ｈの内方には、ダイス２を収容可能なダイス収容部４ａが設けられている。これにより、ダイス２を拡径した状態、即ち互いに隣接するダイス片２ａ間に隙間を設けた状態でダイス２を収容することができる。
【００２７】
図１及び図２に示すように、第１段部４ｈ内に収容されたダイス２は、ホルダー４の他端４ｄから挿入された押圧手段８によってホルダー４の蓋４ｆに押圧されている。
また、ダイス収容部４ａの他端側には、修正するボルトの雄ネジにダイス２を装着した際に、当該雄ネジを収容可能な円柱状の空間部４ｂが形成されている。空間部４ｂは、雄ネジの直径よりも長い直径を有している。本実施形態では、空間部４ｂとして押圧手段８内に形成した貫通孔８ａを利用する。
【００２８】
固定手段６は、ホルダー４の外周面に沿って摺動可能な略円筒状のスリーブ１２と、当該スリーブ１２を径方向に貫通する貫通孔１２ａに螺合可能なボルト１６と、ホルダー４とダイス２との間に挿入可能なカラー片１４と、を備えている。
【００２９】
固定手段６は、各ダイス片２ａの外周面にダイス片２ａの内周面側へ向かう押圧力を付与して、ダイス２を環状に固定する。
スリーブ１２の内径は、ホルダー４の外周に沿って摺動できるように、一端１２ｂから他端１２ｃへ向かって階段状に徐々に長くなっている。本明細書では、一端側で最も内径の短い部分を第１段部１２ｄといい、当該第１段部１２ｄよりも他端側で当該第１段部１２ｄよりも内径が長い部分を第２段部１２ｅという。スリーブ１２は、スリーブ１２の第１段部１２ｄの内周面とホルダー４の第１段部４ｈの外周面とが当接するとともに、スリーブ１２の第２段部１２ｅの内周面とホルダー４の第２段部４ｉの外周面とが当接するように、ホルダー４の外周に配置される。これにより、スリーブ１２は、ホルダー４の外周面に沿ってホルダー４の軸方向に摺動可能となる。
そして、スリーブ１２の第１段部１２ｄの他端側内周側面と、ホルダー４の第２段部４ｉの一端側外周側面との間には、スリーブ１２をホルダー４の一端側へ向かって付勢するスリーブ用バネ１３が設けられている。
また、スリーブ１２は、第１段部１２ｄ及び第２段部１２ｅの一部分の外径が他よりも長くなるように形成されている。
【００３０】
押圧部材８の外径は、ダイス側の一端から他端へ向かって階段状に徐々に長くなり、その後、次第にテーパー状に短くなる形状を有している。本明細書では、一端側で最も外径の短い部分を第１段部８ｂといい、当該第１段部８ｂよりも他端側で当該第１段部８ｂよりも外径が長い部分を第２段部８ｃ、そして、当該第２段部８ｃよりも他端側で、他端へ向かうにしたがって外径が次第にテーパー状に短くなる部分を第３段部８ｄという。第１段部８ｂの外径は、ダイス２の外径とほぼ同じ長さに形成されている。
【００３１】
カラー片１４は、ホルダー４の周方向に沿って複数個設けられている。
図４は、カラー片１４の正面図及び側断面図である。図４に示すように、カラー片１４は、円弧形状を有している。本実施形態では、２つのカラー片１４を用いたが、カラー片１４の数は、これに限定されるものではない。
カラー片１４の外径は、ホルダー４の第１段部４ｈの内径とほぼ同じ長さに形成されている。また、カラー片１４の内径は、押圧部材８の第１段部８ｂの外径とほぼ同じ長さに形成されている。これにより、カラー片１４は、ホルダー４の第１段目４ｈの内周面と押圧部材８の第１段部８ｂの外周面との間を、ホルダー４の軸方向に摺動可能である。
【００３２】
各カラー片１４には、固定手段６のボルト１６が螺合可能なネジ穴１４ａがカラー片１４の径方向に形成されている。各カラー片１４のネジ穴１４ａにボルト１６を螺合することで、各カラー片１４はスリーブ１２と連結され、スリーブ１２と共にホルダー４の軸方向に摺動可能となる。
【００３３】
図１及び図２に示すように、スリーブ１２及び各カラー片１４をホルダー４の一端側に摺動させると、各カラー片１４が、各ダイス片２ａとホルダー４との間に挿入される。これにより、各ダイス片２ａの外周面に押圧力を付与して各ダイス片２ａを径方向内側、即ちホルダー４の中心へ向かって移動させて環状のダイス２を形成することができる。
【００３４】
また、ネジ山修正用工具１は、ダイス２を拡径する拡径手段２２を備えている。拡径手段２２は、各ダイス片２ａを径方向外側に移動させて、ダイス２を拡径する機能を有する。
拡径手段２２は、ダイス片２ａに当接するダイス支持体２４と、付勢力をダイス支持体２４に付与するダイス用バネ２８と、当該ダイス用バネ２８の一端に接続されてダイス支持体２４に当接する摺動板２６と、を備えている。
【００３５】
図５は、ダイス支持体２４の正面図及び側断面図である。図５に示すように、ダイス支持体２４は、円弧形状を有しており、周方向に複数個設けられている。本実施形態では、ダイス片２ａと同じ数（２個）のダイス支持体２４を用いた。ダイス支持体２４は、外周面の軸方向の長さが内周面の軸方向の長さよりも長くなるように一方の側面が内周面側から外周面側へ向かって傾斜しているとともに、他方の側面が前記ダイス片２ａの側面に当接している。
【００３６】
図１に示すように、ダイス用バネ２８は、押圧手段８の第１段部８ｂの径方向両端部を切り欠いて形成された角部に設けられている。
【００３７】
ダイス用バネ２８の付勢力を摺動板２６を介してダイス支持体２４の一方の側面（即ち傾斜している側面）に付与すると、付勢力の一部はダイス支持体２４及びダイス２を拡径する方向へ作用する。これにより、各ダイス支持体２４が径方向外側へ移動するとともに、各ダイス片２ａも移動するため、ダイス２を拡径することができる。
ダイス２が拡径することにより、ボルトの雄ネジのネジ山とダイス２のネジ山とを螺合させることなく、雄ネジをダイス２内に挿通させることができる。
【００３８】
上述した構成からなるネジ山修正用工具１のスリーブ１２を図６及び図７に示すように、ホルダー４の他端側に摺動させると、ダイス２及びダイス支持体２４を外方から抑え込んでいたカラー片１４も同時に移動する。これにより、カラー片１４によってダイス２を環状に固定する押圧力が解放される。
このとき、ダイス用バネ２８の付勢力は摺動板２６を介してダイス支持体２４に付与されている。この付勢力の一部はダイス支持体２４及びダイス２を拡径する方向へ作用することとなる。これにより、図８及び図９に示すように、ダイス支持体２４及びダイス２は拡径することができる。係る場合に、ダイス支持体２４及びダイス２は、ダイス２のネジ山が修正するボルトの雄ネジのネジ山と螺合することなく、雄ネジをダイス２内に挿通可能となるまで拡径する。
【００３９】
上述したネジ山修正用工具１を用いて、雄ネジの先端付近が損傷しているボルトのネジ山を修正する修正方法について以下に説明する。
【００４０】
図１０及び図１１は、それぞれ拡径したダイス２内に修正するボルトの雄ネジを挿入した状態を示す縦断面図、横断面図である。
図１０及び図１１に示すように、まず、スリーブ１２をホルダー４の他端側へ移動させて、ダイス２及びダイス支持体２４を拡径する。そして、拡径したダイス２内にボルト２９の雄ネジ２９ａを挿通して、雄ネジ２９ａの正常なネジ山部分がダイス２内に配置されるように、ボルト２９の位置を調整する。
【００４１】
次に、図１２及び図１３に示すように、スリーブ１２をホルダー４の一端側へ移動させて、ダイス２及びダイス支持体２４を縮径するとともに、ダイス２を環状に固定して、雄ネジ２９ａの正常なネジ山部分にダイス２を装着する。
その後、ネジ山修正用工具１を雄ネジの先端側へ向かって回転させながら移動させることにより、損傷したネジ山を修正する。
【００４２】
上述した構成からなるネジ山修正用工具１によれば、ダイス２とホルダー４との間にカラー片１４を挿入することで、ダイス２を環状に固定することができる。これにより、ダイス２内に挿入された雄ネジ２９ａをダイス２で強固に保持することが可能となる。そして、強固に保持した状態で損傷したネジ山を修正することにより、ネジ山を正確に修正することができる。
また、カラー片１４は、ボルト１６でスリーブ１２に接続されているため、スリーブ１２をホルダー４に沿って摺動させることで、カラー片１４を移動させることができる。
【００４３】
また、拡径手段２２はダイス支持体２４とダイス用バネ２８とを備えており、ダイス用バネ２８の付勢力をダイス支持体２４の傾斜している側面に付与することにより、付勢力の一部が各ダイス片２ａを径方向外側に移動させる力となる。これにより、各ダイス片２ａを径方向外側へ移動させてダイス２を拡径することができる。そして、拡径手段３２は、簡素な機構なので、安価に製作することができる。
【００４４】
さらに、ダイス用バネ２８の付勢力でダイス２を拡径することにより、ダイス２の内径をボルト２の雄ネジ２９ａの外径よりも長くすることができる。したがって、雄ネジ２９ａをダイス２に螺合させることなく、ダイス２内に雄ネジ２９ａを挿通させることができる。これにより、ネジ山が損傷している雄ネジ２９ａの先端にダイス２を装着することなく、雄ネジ２９ａのネジ山が正常に形成されている部分にダイス２を装着することができる。また、先端のネジ山が損傷している雄ネジ２９ａにダイス２を装着して修正する場合に比べて短時間で容易に修正を実施することができる。
【００４５】
＜第二実施形態＞
次に、本発明の第二実施形態について説明する。以下の説明において、上述した第一実施形態に対応する部分には同一の符号を付して説明を省略し、主に相違点について説明する。
【００４６】
図１４及び図１５は、それぞれ本発明の第二実施形態に係るネジ山修正用工具３１の斜視図、縦断面図である。
図１４及び図１５に示すように、ネジ山修正用工具３１はホルダー３４と、固定手段３６と、拡径手段３２と、を備えている。
【００４７】
ホルダー３４内に収容されるダイス２は、第一実施形態と同様に、２個のダイス片２ａから構成されている。
また、ホルダー３４は、断面が円弧状の分割体３４ａを周方向に複数個配置して形成されており、円筒形状を有している。
分割体３４ａは、ダイス片２ａと同じ数になるように分割される。したがって、本実施形態では、ホルダー３４は、２つの分割体３４ａから構成されている。各分割体３４ａにそれぞれダイス片２ａが固定されている。ダイス片２ａは、各分割体３４ａの一端部３４ｄの内周面にダイス用ボルト４０にて固定されている。
ホルダー３４内には、修正するボルト２９の雄ネジ２９ａにダイス２を装着した際に、当該雄ネジ２９ａを収容可能な円柱状の空間部４ｂが形成されている。
【００４８】
また、ホルダー３４内に、拡径手段３２が設けられている。拡径手段３２は、ホルダー３４の中心軸と直交する直交方向に配置され、両端がそれぞれ対向する分割体３４ａに接続されたバネである。当該バネにより、ホルダー３４を拡径する付勢力が付与される。
【００４９】
ホルダー３４の外周は、一端３４ｂから他端３４ｃへ向かうにしたがって外周径を徐々に減じたテーパー状に形成されている。
【００５０】
図１６は、固定手段３６のスリーブ３７の縦断面図である。図１６に示すように、スリーブ３７の内周は、一端３７ｂから他端３７ｃへ向かうにしたがって内周径を徐々に減じたテーパー状に形成されている。テーパーの角度は、ホルダー３４の外周のテーパーと同じ角度を有している。
【００５１】
そして、図１５に示すように、スリーブ３７は、その他端３７ｃがホルダー３４の他端側に、一端３７ｂがホルダー３４の一端側になるように配置されている。スリーブ３７をホルダー３４の一端側に向かって摺動させることにより、ホルダー３４を環状に固定するとともに、ダイス２を環状に固定することができる。
また、スリーブ３７を径方向に貫通するネジ穴３７ａに蝶ネジ３８を螺合し、当該蝶ネジ３８を締め付けることにより、スリーブ３７をホルダー３４に固定するとともに、ホルダー３４を介してダイス２を締め付けることができる。
【００５２】
図１７は、ネジ山修正用工具３１のホルダー３４を拡径した状態を示す縦断面図である。図１７に示すように、スリーブ３７をホルダー３４の他端側へ移動させて、拡径手段３２のバネの付勢力を利用してホルダー３４及びダイス２を拡径する。そして、拡径したダイス２内に修正するボルト２９の雄ネジ２９ａを挿通して、雄ネジ２９ａの正常なネジ山部分がダイス２内に配置されるように、ボルト２９の位置を調整する。
【００５３】
次に、スリーブ３７をホルダー３４の一端側へ摺動させて、ホルダー３４及びダイス２を縮径するとともに、環状に固定して、雄ネジ２９ａの正常なネジ山部分にダイス２を装着する。続いて、蝶ネジ３８を締めて、スリーブ３７をホルダー３４に固定するとともに、ダイス２を締め付ける。
【００５４】
その後、ハンドル３９を回転させながら、ネジ山修正用工具３１を雄ネジ２９ａの先端側へ向かって移動させることにより、損傷したネジ山を修正する。
【００５５】
上述したように、本発明に係るネジ山修正用工具３１のホルダー３４は、複数の分割体３４ａから構成されており、当該ホルダー３４内に拡径手段３２であるバネを備えているため、当該バネの付勢力により隣接する分割体３４ａ間に隙間を形成しながらホルダー３４を拡径することができる。そして、ホルダー３４を拡径することにより、ホルダー３４内に収容されたダイス２を拡径することができる。ダイス２が拡径することにより、ダイス２に螺合させること無く、雄ネジ２９ａをダイス２内に挿通させることができる。これにより、損傷しているネジ山にダイス２を装着することなく、雄ネジ２９ａのネジ山が正常に形成されている部分にダイス２を装着することができる。
【００５６】
さらに、ホルダー３４の外周及びスリーブ３７の内周はテーパー状に形成されているため、スリーブ３７をホルダー３４の一端側に摺動させることにより、ダイス２で雄ネジ２９ａを強固に保持することができる。
また、スリーブ３７をホルダー３４の他端側に摺動させることにより、ホルダー３４及びダイス２を拡径することができる。
【００５７】
そして、固定手段３６はスリーブ３７を貫通する蝶ネジ３８を備えているため、蝶ネジ３８を締め付けることでホルダー３４を介してダイス２を更に強固に保持することができる。強固に保持した状態で損傷したネジ山を修正することにより、ネジ山を正確に修正することができる。
【符号の説明】
【００５８】
１  ネジ山修正用工具
２  ダイス
２ａ  ダイス片
４  ホルダー
４ａ  収容部
４ｂ  空間部
４ｃ  一端
４ｄ  他端
４ｅ  長孔
４ｆ  蓋
４ｇ  穴
４ｈ  第１段部
４ｉ  第２段部
４ｊ  第３段部
６  固定手段
８  押圧手段
８ａ  貫通孔
８ｂ  第１段部
８ｃ  第２段部
８ｄ  第３段部
１０  ピン
１２  スリーブ
１２ａ  貫通孔
１２ｂ  一端
１２ｃ  他端
１２ｄ  第１段部
１２ｅ  第２段部
１３  スリーブ用バネ
１４  カラー片
１４ａ  ネジ穴
１６  ボルト
２２  拡径手段
２４  ダイス支持体
２６  摺動板
２８  ダイス用バネ
２９  修正するボルト
２９ａ  雄ネジ
３１  ネジ山修正用工具
３２  拡径手段
３４  ホルダー
３４ａ  分割体
３４ｂ  一端
３４ｃ  他端
３４ｄ  一端部
３６  固定手段
３７  スリーブ
３７ａ  ネジ穴
３７ｂ  一端
３７ｃ  他端
３８  蝶ネジ
３９  ハンドル
４０  ダイス用ボルト
【図１】
0005780993.tif 000002
【図２】
0005780993.tif 000003
【図３】
0005780993.tif 000004
【図４】
0005780993.tif 000005
【図５】
0005780993.tif 000006
【図６】
0005780993.tif 000007
【図７】
0005780993.tif 000008
【図８】
0005780993.tif 000009
【図９】
0005780993.tif 000010
【図１０】
0005780993.tif 000011
【図１１】
0005780993.tif 000012
【図１２】
0005780993.tif 000013
【図１３】
0005780993.tif 000014
【図１４】
0005780993.tif 000015
【図１５】
0005780993.tif 000016
【図１６】
0005780993.tif 000017
【図１７】
0005780993.tif 000018